Podtech/llm-jp-corpus-v4-ja_patent huggingface dataset:
(57)【要約】【課題】この発明は、従来の球面の切削加工の方法を、新たな方法に変えることにより、被切削物の先端部に均一な球面が形成できる球面の切削加工方法を開発し、提供することにある。【解決手段】旋盤等の機械に装着された被切削物（１）を切削加工するに際して、被切削物（１）の軸芯（Ｘ）方向より、適宜の角度（α）を有した位置で、回転する刃物（Ｙ）を当接し、被切削物（１）の縁面（１ａ）より、直径方向（Ｚ）に被切削物（１）の軸芯（１ｂ）を通り、他の縁面（１ｃ）に向けて切削することを特徴とする球面の切削加工方法から構成される。尚、刃物（Ｙ）は、モータ等の駆動源（図示せず）により動力で回転するものであり、回転する被切削物（１）に当接して加工するものであり、被切削物（１）の端面を加工した状態が、図１（ｂ）に示すようになり、刃物（Ｙ）によって切削されたバイト目（２）となる。【選択図】      図１
2009028837.tif 000002
【特許請求の範囲】
【請求項１】
旋盤等の機械に装着された被切削物（１）を切削加工するに際して、被切削物（１）の軸芯（Ｘ）方向より、適宜の角度（α）を有した位置で、回転する刃物（Ｙ）を当接し、被切削物（１）の縁面（１ａ）より、直径方向（Ｚ）に被切削物（１）の軸芯（１ｂ）を通り、他の縁面（１ｃ）に向けて切削することを特徴とする球面の切削加工方法。
【発明の詳細な説明】
【技術分野】
【０００１】
この発明は、球面の切削加工方法に関するものであり、特に、円柱状素材の端面を球面状に加工する切削加工方法に関する。
【背景技術】
【０００２】
従来、シリコンウエハ等の製造機は、地上の微小な振動でも製造機に与えないような工夫・配慮がなされている。
【０００３】
その一例として、地面と製造機との間に、両端がそれぞれ球面状の突起に形成されたロッドを介して支えている。
【０００４】
そして、その球面状のロッド（以下、被切削物という）を切削加工する際には、従来は、片持ち旋盤に被切削物の一端部を装着し、回転する該被切削物の他端部の縁部から軸芯に向かって、バイト等の刃物をあてがい球状に切削していた。
【０００５】
しかしながら、刃物を、被切削物の縁部からその軸芯部に向けて切削するに当たり、被切削物の軸芯位置では、切削スピードが不足するため、切削が不十分であり、球面に芯が形成されたりし、均一な球面が形成できないという欠点があった。
【０００６】
それによって、前記の地面とシリコンウエハ等の製造機との間に位置させ、両端面が球面形状の部材は、球面形状により、振り子運動をするものであるが、上記の欠点により、球面の先端形状が正確でないため、安定した振り子とならず、正確な振動制御ができないものである。
【発明の開示】
【発明が解決しようとする課題】
【０００７】
そこで、この発明は、従来の球面の切削加工の方法を、新たな方法に変えることにより、被切削物の先端部に均一な球面が形成できる球面の切削加工方法を開発し、提供することにある。
【課題を解決するための手段】
【０００８】
この発明による課題を解決するための手段としては、旋盤等に装着された被切削物に対して、被切削物の縁面から軸芯に向かって刃物で切削するのではなく、被切削物の軸方向に対して所定の角度の位置に、動力回転する刃を設け、該刃で、回転する被切削物の縁部より直径方向に別けて切削する加工とするものである。
【発明の効果】
【０００９】
この発明によると、被切削物である，ロッドの直径方向のそれぞれ一縁部から他の縁部に向かって、回転する刃物で切削することにより、先端部の球面が正確に切削できる、精度の高い製品が得られる等のすぐれた効果を奏する。
【発明を実施するための最良の形態】
【００１０】
以下、この発明の好適な実施の形態について、図１に基づいて詳細に説明すると、旋盤等の機械に装着された被切削物（１）を切削加工するに際して、被切削物（１）の軸芯（Ｘ）方向より、適宜の角度（α）を有した位置で、回転する刃物（Ｙ）を当接し、被切削物（１）の縁面（１ａ）より、直径方向（Ｚ）に被切削物（１）の軸芯（１ｂ）を通り、他の縁面（１ｃ）に向けて切削することを特徴とする球面の切削加工方法から構成されるものである。
【００１１】
尚、刃物（Ｙ）は、モータ等の駆動源（図示せず）により動力で回転するものであり、回転する被切削物（１）に当接して加工するものであり、被切削物（１）の端面を加工した状態が、図１（ｂ）に示すようになり、刃物（Ｙ）によって切削されたバイト目（２）となる。
【産業上の利用可能性】
【００１２】
この発明の球面の切削加工方法である技術を確立し、実施・販売することにより、産業上利用できるものである。
【図面の簡単な説明】
【００１３】
【図１】この発明の一実施例を示し、（ａ）は、一部欠截正面図であり、（ｂ）は側面図である。
【図２】従来例を示し、（ａ）は、一部欠截正面図であり、（ｂ）は側面図である。
【符号の説明】
【００１４】
１  被切削物
１ａ  縁面
１ｂ  軸芯
１ｃ  他の縁面
２  バイト目
α  適宜な角度
Ｘ  軸芯
Ｙ  刃物
Ｚ  直径方向
【図１】
2009028837.tif 000003
【図２】
2009028837.tif 000004
(57)【要約】      （修正有）【課題】電流増加と放電の安定性が得られ、排ガスを長時間プラズマに通過させる筒型回転ストリーマ発生装置の提供。【解決手段】外筒２の中央に金属細線からなるストリーマ発生素子１を取り付けた回転内筒を配置する。ストリーマ発生素子１にプラス電圧を印可電圧投入口５より印可し、金属プレート１８を巻いた外筒２にマイナス電圧を印可するとストリーマ放電１５が発生する。回転内筒はモータ１３で駆動し、排ガスはファン１４によって吸引する。【選択図】図２
2009028705.tif 000002
【特許請求の範囲】
【請求項１】
ストリーマを発生させる発生素子１，を回転する内筒３，に取り付けたものを［図１］［図２］のように金属プレート１８，を巻いた外筒２，の中央に配置した筒型回転ストリーマ発生装置。
【請求項２】
［図３］［図４］のように外筒に発生素子１を取り付け金属プレート１８，を巻いた外筒１７、が回転する筒型回転ストリーマ発生装置。
【請求項３】
ストリーマを発生させる部分は［図９］線９，［図１０］針１０，［図１１］板１１の材質ではなく［図５］［図６］ように金属細線４、を平面状態に薄く並べそれを金属板６，で押さえた［図７］のように平板型７，又は［図８］螺旋型８，にしてストリーマ放電を発生させる発生素子。
【発明の詳細な説明】
【発明の詳細な説明】
【技術分野】
【０００１】  低温大気圧プラズマは排ガス処理方法の一つとして注目を集めている。その中でもストリーマ放電は排ガス処理に有効性が認められストリーマの発生方法、効率の良い発生素子、配置方法等が研究されている。
【背景技術】
【０００２】  ストリーマ放電を発生させる構造は［図９］のように線−平板電極、［図１０］のように針−平板電極、［図１１］平板−平板電極、［図１２］線−円筒電極等がありストリーマ放電を発生させている。放電電流の増加は排ガスの分解率に関係しているが放電電流を増加しようと印加電圧を高めるとストリーマ放電からスパーク放電に移行してしまう。ストリーマ放電の安定性と放電電流の増加は課題の一つであった。現状の構造では筒状の構造全体を高濃度プラズマ状態にさせることは無理があった。ストリーマ放電は１方向又は２方向又は全面放電と色々あるがいずれの方法も放電電流は少なく放電の安定性に欠けていた。又連続する排ガス処理は効率を向上させるためには排ガスを長時間高濃度プラズマの中を通過させる必要性がありストリーマ発生装置の構造も課題の一つで有った。
【発明を実施するための最良の形態】
【０００３】  ［図１］［図２］のように外筒２，の中央にストリーマ発生素子１，を取り付けた回転する内筒３，を配置し発生素子１，に＋電圧を印可電圧投入口５，より印可する。外筒の電極は周面を金属で覆い−電圧を印可する。回転する内筒３，はモータ１３，で駆動する。排ガスはファン１４，によって吸引する。ストリーマ放電は１５，のように放電する。
【発明の効果】
【０００４】  ストリーマ発生素子１、の構造は金属細線を薄く並べるこ事を採用したことにより針、１０，線、９，平板、１１，の構造より同等の印可電圧で放電電流の増加と安定した放電を得ることが出来ようになり高濃度の安定したプラズマ状態を作ることが出来る。又回転による冷却効果によって放電電極の冷却効果が得られスパーク状態になりにくく相乗効果で安定したストリーマ放電状態を維持出来る。ストリーマ素子１の長さは自由度があり装置の長さに合わせること出来る。又放電電流の安定したストリーマ素子１、を回転させることにより筒を通過する排ガスは長時間広域高濃度プラズマ状態の中を通過することが可能になり排ガスの分解効率が上がりが排ガス処理が可能になった。
【図面の簡単な説明】
【図１】  筒型内側回転ストリーマ発生装置を上から見た平面図である。
【図２】  筒型内側回転ストリーマ発生装置正面図
【図３】  筒型外側回転ストリーマ発生装置を上から見た平面図である。
【図４】  筒型外側回転ストリーマ発生装置正面図
【図５】  ストリーマ発生素子の平面図である。
【図６】  ストリーマ発生素子の正面図である。
【図７】  平板型ストリーマ発生素子
【図８】  螺旋型ストリーマ発生素子
【図９】  線−平板型ストリーマ発生素子  左側、側面図  右側、正面図で有る。
【図１０】  針−平板型ストリーマ発生素子  左側、側面図  右側、正面図で有る。
【図１１】  平板−平板型ストリーマ発生素子  左側、側面図  右側、正面図で有る。
【図１２】  線−円筒型ストリーマ発生素子  左側、側面図  右側、正面図で有る。
【符号の説明】
１    ストリーマ発生素子
２    外筒
３    回転内筒
４    金属細線
５    ＋印可電圧投入口
６    金属板
７    平板型ストリーマ発生素子
８    螺旋型型ストリーマ発生素子
９    線
１０    針
１１    平板
１２    円筒
１３    回転駆動モーター
１４    排気ファン
１５    ストリーマ放電
１６    内筒
１７    回転外筒
１８    金属プレート
【図１】
2009028705.tif 000003
【図２】
2009028705.tif 000004
【図３】
2009028705.tif 000005
【図４】
2009028705.tif 000006
【図５】
2009028705.tif 000007
【図６】
2009028705.tif 000008
【図７】
2009028705.tif 000009
【図８】
2009028705.tif 000010
【図９】
2009028705.tif 000011
【図１０】
2009028705.tif 000012
【図１１】
2009028705.tif 000013
【図１２】
2009028705.tif 000014
(57)【要約】【課題】光照射に併用する剤の効果を十分に得ることができるものとする。【解決手段】肌の美容のための光を皮膚に対して照射する光源部２と、ミスト化した剤を皮膚に対して供給する剤ミスト供給手段７とを備える。剤を皮膚に供給しつつ光照射を行うことができる。【選択図】図１
2009028278.tif 000002
【特許請求の範囲】
【請求項１】
肌の美容のための光を皮膚に対して照射する光源部と、ミスト化した剤を皮膚に対して供給する剤ミスト供給手段とを備えていることを特徴とする光照射美容器具。
【発明の詳細な説明】
【技術分野】
【０００１】
本発明は、肌の美容のために肌に対して光を照射する光照射美容器具に関するものである。
【背景技術】
【０００２】
光を照射することで肌の美容を図る光照射美容器具には、照射する光としてレーザー光を用いるもの、低出力の非コヒーレント光を用いるもの等、各種存在している。
【０００３】
そしてこのような光照射に際しては、予め光を照射する皮膚（肌）に対して、美容剤や化粧剤を塗布することが行われている。
【０００４】
しかし、光照射に先立って剤の塗布を行うことは手間であるとともに、光照射中に剤が揮発してしまったりするために、剤の効果を十分に得ることができない。また、剤を扱う手に剤が付着したりする。
【特許文献１】特開２００５−１０３０５１号公報
【発明の開示】
【発明が解決しようとする課題】
【０００５】
本発明は上記の従来の問題点に鑑みて発明したものであって、併用する剤の効果を十分に得ることができる光照射美容器具を提供することを課題とするものである。
【課題を解決するための手段】
【０００６】
上記課題を解決するために本発明に係る光照射美容器具は、肌の美容のための光を皮膚に対して照射する光源部と、ミスト化した剤を皮膚に対して供給する剤ミスト供給手段とを備えていることに特徴を有している。剤を皮膚に供給しつつ光照射を行うことができる。
【発明の効果】
【０００７】
本発明は、剤をミスト化して皮膚に供給する剤ミスト供給手段を備えているために、光を照射しながら皮膚に剤を供給することができるものであり、このために皮膚上に剤がある状態で光照射を継続することができる。また、ミスト化した剤を皮膚に供給することで、光照射によるところの皮膚乾燥や皮膚温度上昇を抑えることができて、光照射による美容効果を確実に得ることができる。
【発明を実施するための最良の形態】
【０００８】
以下、本発明を添付図面に示す実施形態に基いて説明すると、図１は手持ち式の光照射美容器具を示しており、手で持つことができるサイズに形成されているハウジング１の一端側には光源部２が配設され、ハウジング１内には上記光源部２からの光出力を制御する制御部４と、報知部５と、剤ミスト供給手段７とが配設されている。
【０００９】
上記光源部２は、光源２０と、その光照射用開口部内に配した光透過性材からなるカバー２１とからなるもので、このカバー２１には、集光や光拡散といったレンズの機能や波長カットの機能をもたせたものを用いることができる。上記光源２０としてはどのようなものを用いるものであってもよいが、ここでは低出力の非コヒーレント光を出力するものを用いている。
【００１０】
剤ミスト供給手段７は、美容剤や化粧剤、あるいは水といった剤をミスト化して皮膚に供給するもので、ベンリュリー効果によって吸い上げた剤をミスト状にして吐出するもの、ボイラーを備えてスチームミストを吐出するもの、放電によって剤をミスト化して吐出するもの、超音波を用いてミストを生成するもの等、どのようなものでもよい
光を照射したい部分の皮膚に光照射用開口部を押し当ててスイッチを投入すれば、光源部２の光源２０が点灯して皮膚に対する光照射を開始すると同時に、剤ミスト供給手段７が作動して、ミスト化した剤を光照射用開口部を通じて皮膚に供給する。
【００１１】
皮膚表面に常に剤が存在する状態で光照射を行うことができるものであり、剤を皮膚に浸透させることを十分に行うことができるほか、剤ミストによって皮膚の乾燥や皮膚温度上昇を防ぐことができる。
【００１２】
剤ミスト供給手段７は、光照射中、剤ミストを常時皮膚に供給するものであってもよいが、所定時間間隔で剤ミストを供給するものや、光照射用開口部の開口縁に配した水分量センサ３で皮膚の水分量を検出して、検出される水分量が所定値以下まで低下した時に剤ミストを供給するものであってもよい。
【００１３】
光照射完了時は再びスイッチを操作することで、制御部４を介して光源部２や剤ミスト供給手段７の動作を停止させる。制御部４にタイマー機能を搭載して、使用開始から例えば２０分間で自動的に照射を停止させるようにしても良い。
【００１４】
なお、剤ミスト供給手段７によって剤ミストを皮膚に供給する時は、報知部５による音や光による報知動作を行うことが好ましい。剤ミストが突然噴出することで使用者が驚いてしまうことを避けることができる。
【００１５】
図２は皮膚から光源部２を離した状態で皮膚に対して光照射を行う光照射美容器具の場合を示しており、机上などに置いた状態で用いられる本体部１０に対して光源部２は可動式アーム１１でその光照射方向が可変となっていて、使用者は任意の姿勢で光源部２からの光照射を顔面等の皮膚に受けることができる。また、剤ミスト供給手段７は、光源部２の脇に配設されて皮膚に対して剤ミストを供給する。この場合、器具を皮膚に押し当てておかなくてはならない煩わしさがなく、また広い面積に剤ミストをいきわたらせることができる。
【図面の簡単な説明】
【００１６】
【図１】本発明の実施の形態の一例の概略断面図である。
【図２】他例の側面図である。
【符号の説明】
【００１７】
２  光源部
４  制御部
５  報知部
７  剤ミスト供給手段
【図１】
2009028278.tif 000003
【図２】
2009028278.tif 000004
(57)【要約】      （修正有）【課題】皺部分への光照射を十分に行うことができる光照射美容器具を提供する。【解決手段】肌の美容のための光を皮膚に対して照射する光源部２と、光源部からの光が照射される皮膚に押し当てられて皮膚を伸展させる皮膚伸展部３とを備える。皮膚伸展部で皮膚を伸展させた状態で光照射を行うことができる。【選択図】図１
2009028271.tif 000002
【特許請求の範囲】
【請求項１】
肌の美容のための光を皮膚に対して照射する光源部と、光源部からの光が照射される皮膚に押し当てられて皮膚を伸展させる皮膚伸展部とを備えていることを特徴とする光照射美容器具。
【請求項２】
皮膚伸展部における皮膚と接触する部分は皮膚に物理的刺激を与えることができる形状となっていることを特徴とする請求項１記載の光照射美容器具。
【発明の詳細な説明】
【技術分野】
【０００１】
本発明は、肌の美容のために肌に対して光を照射する光照射美容器具に関するものである。
【背景技術】
【０００２】
光を照射することで肌の美容を図る光照射美容器具には、照射する光としてレーザー光を用いるもの、低出力の非コヒーレント光を用いるもの等、各種存在しているが、皺取りに有効であるとされたものが特許文献１に示されている。
【０００３】
しかし、皺に対して光を照射する際に、発光面積が大きい光源を用いたところで、皺部分は影になって十分な光を照射することができない。
【特許文献１】特開２００６−０２５８０８号公報
【発明の開示】
【発明が解決しようとする課題】
【０００４】
本発明は上記の従来の問題点に鑑みて発明したものであって、皺部分への光照射を十分に行うことができる光照射美容器具を提供することを課題とするものである。
【課題を解決するための手段】
【０００５】
上記課題を解決するために本発明に係る光照射美容器具は、肌の美容のための光を皮膚に対して照射する光源部と、光源部からの光が照射される皮膚に押し当てられて皮膚を伸展させる皮膚伸展部とを備えていることに特徴を有している。皮膚伸展部で皮膚を伸展させた状態で光照射を行うことができる。
【０００６】
上記皮膚伸展部における皮膚と接触する部分は皮膚に物理的刺激を与えることができる形状となっていてもよい。物理的刺激によるマッサージも付与することができる。
【発明の効果】
【０００７】
本発明は、皮膚伸展部で皮膚を伸展させた状態で光照射を行うことができるものであり、皺も引き伸ばされてしまうために、皺の深い部分の奥に光が届きにくくなるというようなことがなくなるために、光照射による皺取りをより有効に行うことができる。
【発明を実施するための最良の形態】
【０００８】
以下、本発明を添付図面に示す実施形態に基いて説明すると、図１は手持ち式の光照射美容器具を示しており、手で持つことができるサイズに形成されているハウジング１の一端には光源部２が配設されているとともに、皮膚伸展用ローラ３，３が配設されており、ハウジング１内には上記光源部２の点灯制御のための制御部５が配設されている。
【０００９】
上記光源部２は、光源２０と、その光照射用開口部に配した光透過性材からなるカバー２１とからなるもので、このカバー２１には、集光や光拡散といったレンズの機能や波長カットの機能をもたせたものを用いることができる。上記光源２０としてはどのようなものを用いるものであってもよいが、ここでは低出力の非コヒーレント光を出力するものを用いている。
【００１０】
上記ローラ３，３は、ハウジング１の側面に連結されたアーム４，４の一端に設けられたもので、該アーム４は、その他端がガイドピン４１によってハウジング１の長手方向にスライド自在且つ回動自在に支持されるとともに、中程に設けたガイドピン４２がハウジング１に対してその長手方向と交叉する方向にスライド自在に支持されたものであり、また上記ガイドピン４２は引っ張りコイルばね４３によってハウジング１の一端側に引っ張り付勢されている。
【００１１】
この光照射美容器具においては、上記ローラ３，３がハウジング１の一端よりも突出した状態にあるために、ハウジング１の一端の光源部２の光照射用開口部を肌に押し付ける時、まずローラ３，３が肌に接触する。この状態から更に肌側に押し付けると、図２に示すようにガイドピン４２が引っ張りコイルばね４３に抗して斜め側方に移動するとともに、ガイドピン４１も他端側へと移動するものであり、この時、ローラ３はその位置を側方へと変化させる。
【００１２】
一対のローラ３，３は互いに逆方向に移動するために、ローラ３，３が接触している肌はローラ３，３の移動に伴って引き伸ばされ、この状態で光源部２からの光の照射が行われる。このために光照射の対象となる部分に皺があっても、皺は引き伸ばされてしまうことから、光源部２からの光照射が皺の深い部分の奥まで届かないというようなことがないものである。
【００１３】
光照射の終了時は、ハウジング１を肌から離せば、引っ張りコイルばね４３による付勢でローラ３，３は初期位置に復帰する。
【００１４】
アーム４，４が広がって光源部２の光照射用開口部２を肌に押し付けることができる状態になった時に光源部２が自動点灯し、肌から離せば自動消灯するように、アーム４位置に連動するスイッチで光源部２の点灯制御を行うようにしてもよい。
【００１５】
図３に示すように肌に接触するローラ３として、その表面に突起を備えて肌に物理的刺激を与えることができるものを用いてもよい。肌に物理的刺激によるマッサージを与えることができる。
【図面の簡単な説明】
【００１６】
【図１】本発明の実施の形態の一例を示すもので、(a)は概略断面図、(b)は側面図である。
【図２】同上の動作を示す側面図である。
【図３】同上のローラの他例を示す正面図である。
【符号の説明】
【００１７】
１  ハウジング
２  光源部
３  ローラ
４  アーム
【図１】
2009028271.tif 000003
【図２】
2009028271.tif 000004
【図３】
2009028271.tif 000005
(57)【要約】【課題】  傘の先端部の削れや割れを軽減する、傘の骨の変形を防ぐ為のコマ付き子供用傘を提供する。【解決手段】  傘先端部に摩擦を軽減する為の回転体を設け、この回転体と骨部分の間に、横回転を可能にする台座と、衝撃を軽減する為の緩衝材を設けた事を特徴とする傘先端部分の装置である。【選択図】図１
2009028486.tif 000002
【特許請求の範囲】
【請求項１】
傘先端部に摩擦を軽減する為の回転体を設け、この回転体と骨部分の間に、衝撃を軽減する為の緩衝材を設けた事を特徴とする装置。
【発明の詳細な説明】
【技術分野】
【０００１】  本発明は、傘の先端部の削れや割れを軽減する、傘の骨の変形を防ぐ為のコマ付き子供用傘に関するものである。
【背景技術】
【０００２】  従来、子供用傘は子供が使用せずに手で持ち運ぶ場合、先端部を地面に引きずりながら移動し、先端部の削れが起こっていた。
また、色々な物に先端部をぶつけたりして、先端部の割れや脱落が起こっていた。
また、杖のように体重を傘に乗せる癖が付き、傘の骨の歪みが起こっていた。
【発明の開示】
【発明が解決しようとする課題】
【０００３】    そのために、次のような問題点があった。
（イ）子供が閉じた状態の傘を持ち運ぶ際に、先端部を地面に引きずる傾向があり、それにより、先端部の削れが発生し、金属部分がむき出しになる。その為、安全に使用できる製品寿命が短かった。
（ロ）傘を地面等に突き刺した場合に、その衝撃で先端部が割れたり、脱落する場合があった。
（ハ）子供は閉じた状態の傘を持って立つ時、体重を載せて杖のように使用する場合がある。その際に骨部分に歪みが起こり、傘の開閉を困難にする原因となっていた。
本発明は、これらの問題点を解決する為になされたものである。
【課題を解決するための手段】
【０００４】傘先端部に摩擦を軽減する為の回転体を設け、この回転体と骨部分の間に、衝撃を軽減する為の緩衝材を設けた事を特徴とする装置である。
【発明の効果】
【０００５】  本発明は、先端部分が回転し、地面との摩擦を軽減する為、先端部分の削れにより、金属部分がむき出しの状態になることを防ぐ効果がある。
そして、先端部分と骨部分の間に、衝撃を軽減する為の緩衝材を設けている為、衝撃による先端部分の割れを軽減し、脱落を防ぐ効果がある。
また、先端部分が回転する為、骨部分の歪みの原因である、傘を杖代わりにする行為を自然に直す効果がある。
【発明を実施するための最良の形態】
【０００６】以下、本発明の実施の形態を説明する。
（イ）横回転軸（１）には図２で示すように、上部に穴抜け防止突起（２）が設けてあり、下部には、ネジ状突起（３）を設けている。
（ロ）傘本体（４）の骨組み先端部分（５）には、図２で示すように、ネジ状溝（６）を設けている。
（ハ）横回転軸（１）を穴抜け防止突起（２）を上にして、コマ受け（７）の横回転軸用穴（８）に上から通す。
（ニ）両側面中央に縦回転軸（９）を設けたコマ（１０）をコマ受け（７）の縦回転軸用穴（１１）にはめ込む。
（ニ）横回転軸（１）を、衝撃を緩和させる為の、緩衝材（１２）に貫通させ、緩衝材受け座金（１３）の中央穴（１４）に通す。
（ホ）横回転軸（１）のネジ状突起（３）と傘本体（４）の骨組み先端部分（５）のネジ状溝（６）に取り付ける。
本発明は、以上の構成よりなっている。
本発明を使用するときは、傘本体（４）を閉じた状態で引きずって運ぶ際、傘本体（４）の先端部分が地面（１５）と摩擦を起こすが、傘本体（４）の先端部分のコマ（１０）が回転運動をする為、摩擦による削れを軽減することができる。
また、傘本体（４）を閉じた状態で傘本体（４）の先端部分を地面（１５）等に突き刺した場合に、衝撃で傘本体（４）の先端部分が割れたり、脱落する場合があったが、コマ受け（７）と緩衝材受け座金（１３）の間に設けた、緩衝材（１２）が収縮運動を起こして、衝撃を吸収する為、衝撃による割れを軽減し、脱落を防ぐことができる。
さらに、傘本体（４）の傘先端部分にコマ（１０）を設けている為、閉じた状態で、杖のように体重を載せて立つ行為がコマ（１０）の回転運動により困難となり、自然とその行為を直すことができる。その結果、傘本体（４）の開閉が困難になる原因である骨組み（１６）の歪みを防ぐことができる。
【実施例１】
【０００７】図４に示すように、縦回転可能なコマ（１０）を縦横回転可能な球状の物（１７）に変え、コマ受け（７）を球状用穴（１８）と傘本体（４）の骨組み先端部分（５）のネジ状溝（６）に取り付ける為の球受け突起（１９）を設けた、球受け（２０）に変更しても良い。球受け（２０）の球状用穴（１８）から出た、球状の物（１７）が地面（１５）との摩擦を受けた場合、球状の物（１７）が回転運動を起こして、摩擦を軽減する。
【実施例２】
【０００８】緩衝材受け座金（１３）や球受け（２０）にネジやクリップ等を設ける事で、着脱自在にできる。
【図面の簡単な説明】
【０００９】
【図１】  本発明の先端部分の拡大側面図
【図２】  本発明の先端部分の拡大分解斜視図
【図３】  本発明の斜視図
【図４】  本発明の他の先端部分の拡大分解斜視図
【図５】  本発明の他の先端部分の拡大断面図
【図６】  本発明の他の斜視図
【符号の説明】
【００１０】１      横回転軸
２      穴抜け防止突起
３      ネジ状突起
４      傘本体
５      骨組み先端部分
６      ネジ状溝
７      コマ受け
８      横回転軸用穴
９      縦回転軸
１０    コマ
１１    縦回転軸用穴
１２    緩衝材
１３    緩衝材受け座金
１４    中央穴
１５    地面
１６    骨組み
１７    球状の物
１８    球状用穴
１９    球受け突起
２０    球受け
【図１】
2009028486.tif 000003
【図２】
2009028486.tif 000004
【図３】
2009028486.tif 000005
【図４】
2009028486.tif 000006
【図５】
2009028486.tif 000007
【図６】
2009028486.tif 000008
(57)【要約】【課題】石鹸ケース部分に収納した予備の石鹸を、レバーを操作することによりワンタッチで受け皿部分に石鹸を用意できる、予備ケース付き石鹸受け皿を提供する。【解決手段】底部に石鹸を収納する受け皿部分を設け、可動式仕切り板によって仕切られた予備の石鹸を収納する予備ケース部分を直立状に設けたことを特徴とする予備ケース付き石鹸受け皿。【選択図】図１
2009028485.tif 000002
【特許請求の範囲】
【請求項１】
底部に石鹸を収納する受け皿部分を設け、可動式仕切り板によって仕切られた予備の石鹸を収納する予備ケース部分を直立状に設けたことを特徴とする予備ケース付き石鹸受け皿。
【発明の詳細な説明】
【技術分野】
【０００１】  本発明は、石鹸ケース部分に収納した予備の石鹸を、レバーを操作することによりワンタッチで受け皿部分に石鹸を用意できる、予備ケース付き石鹸受け皿に関するものである。
【背景技術】
【０００２】  従来は、石鹸ケースは皿形をしており、使用する石鹸一つが収められていた。入浴途中に石鹸がなくなっても、予備の石鹸は湿気の少ない他の場所に保管されており、なくなった時に新しい石鹸を使うことは無理だった。
なお、石鹸受け皿と予備ケースを一体で設けた、ケース付き石鹸受けはあった（特許文献１）。
【特許文献１】特開平５−１０３７３３号公報
【発明の開示】
【発明が解決しようとする課題】
【０００３】  そのために、次のような問題点があった。
（イ）入浴中に石鹸がなくなった場合は、そのまま我慢するか、風呂場から出て石鹸の保  管場所まで取りに行く。
（ロ）ケース付き石鹸受けから、泡だらけであっても両手を使ってケースのふたを開けて  新しい石鹸を取り出して使う。
本発明は以上の問題点を解決しようとするものである。
【問題を解決するための手段】
【０００４】  底部に石鹸を収納する受け皿部分を設け、可動式仕切り板によって仕切られた予備の石  鹸を収納する予備ケース部分を直立状に設けたことを特徴とする予備ケース付き石鹸受  け皿である。
【発明の効果】
【０００５】  本発明は、予備の石鹸を予備ケースに入れておくことにより、いつ入浴中に石鹸がなくなってもすぐに使うことができる。しかも片手でレバーを降ろせば、すぐに石鹸が使用できる状態になるので、石鹸の保管場所まで取りに行くわずらわしさがなくなる。
【発明を実施するための最良の形態】
【０００６】  以下、本発明の実施の形態を説明する。
（イ）石鹸の受け皿部分（１）と可動式仕切り板（３）を設けた予備ケース部分（２）        との二つの構成部分から成り立っている。
（ロ）可動式仕切り板（３）にバネ（４）部分とレバー（５）を設ける。
（ハ）石鹸の受け皿部分（１）の下部に水切り穴（９）を設ける。
（二）予備ケース部分（２）の上部にふた（６）を設ける。
（ホ）予備ケース部分（２）の両横にストッパー（７）とレバーの移動穴（８）を設け        る。
（ヘ）予備ケース部分（２）の背部に壁掛け穴（１０）または吸盤（１１）を設ける。
本発明は、以上の構成よりなっている。
本発明を使用する時は、予備ケース部分（２）のふた（６）を開けて予備石鹸（１２）を中に入れる。中に入れられた予備石鹸（１２）は、可動式仕切り板（３）によって予備ケース部分（２）内にとどまる。受け皿部分（１）にあった使用中の石鹸がなくなったら、レバー（５）を下方に操作することで、予備ケース部分（２）に入っていた予備石鹸（１２）が下方に下がった可動式仕切り板（３）に沿って下降して、受け皿部分（１）に降りてくる。予備石鹸（１２）が受け皿部分（１）に収まったことを確認後、レバー（５）を離すとバネ（４）の戻る力により可動式仕切り板（３）は元あったストッパー（７）の位置まで戻る。その後、再び予備ケース部分（２）に予備石鹸（１２）を入れれば、何度でも繰り返し使用できる。
【図面の簡単な説明】
【０００７】
【図１】本発明の斜視図および一部分を透視図
【図２】本発明の正面図
【図３】本発明の側面図
【図４】本発明の予備石鹸を予備ケース部分に入れた使用状態を示す側面図
【図５】本発明の予備石鹸が可動式仕切り板に沿って降りてくる使用状態を示す側面図
【図６】本発明の予備石鹸が受け皿部分に収まった使用状態を示す側面図
【符号の説明】
【０００８】  １  受け皿部分
２  予備ケース部分
３  可動式仕切り板
４  バネ
５  レバー
６  ふた
７  ストッパー
８  レバーの移動穴
９  水切り穴
１０  壁掛け穴
１１  吸盤
１２  予備石鹸
【図１】
2009028485.tif 000003
【図２】
2009028485.tif 000004
【図３】
2009028485.tif 000005
【図４】
2009028485.tif 000006
【図５】
2009028485.tif 000007
【図６】
2009028485.tif 000008
(57)【要約】【課題】従来の靴中敷は、複数の素材を使用し、断面が複数の層を有した複合体であっても、各素材はラミネート等の方法で接着された一枚のシートであるため、足に触れる面が汚れると、まだ中敷の効果が持続していたとしても廃棄するしかなかった。【解決手段】中敷を、芯材となるシートと、それを覆うカバーとで構成する。【選択図】図３
2009028487.tif 000002
【特許請求の範囲】
【請求項１】
部分的、或いは全体の足の形に沿った芯材シートと、それを覆うカバーとで構成される靴中敷。
【発明の詳細な説明】
【技術分野】
【０００１】本発明は、靴の中に入れて使用する、いわゆる靴の中敷の開発に関するものである。
【背景技術】
【０００２】綿、天然繊維、織物、不織布、和紙、洋紙など、或いはそれらの複合体をはじめ、様々な素材を使用した靴中敷が発売されている。不織布に活性炭を配合したり、繊維に銀イオンを浸透させたりして、水分の吸収量を増やしたり、消臭効果を付加している商品もある。
【発明の開示】
【発明が解決しようとする課題】
【０００３】従来の靴中敷は、複数の素材を使用し、断面が複数の層を有した複合体であっても、各素材はラミネート等の方法で接着された一枚のシートであるため、足に触れる面が汚れると、まだ中敷の効果が持続していたとしても廃棄するしかなかった。
【課題を解決するための手段】
【０００４】中敷を、芯材となるシートと、それを覆うカバーとで構成する。
【発明の効果】
【０００５】足に触れる面となるカバーを取り外せるため、カバーを取り外した後、カバーを洗濯すれば芯材を繰り返し使えるようになった。すなわち、中敷全体としての効果が全く失われるまで、中敷を使い続ける事ができるようになった。
【発明を実施するための最良の形態】
【０００６】カバーを、ストッキングやタイツに用いられるポリウレタン、ナイロン混紡の糸を用い、伸縮するように網目状に編んでおく。そうすることで、延びたカバーの網の隙間からのぞく芯材面が足に触れ、汗を吸収しやすくなる。
芯材は素材を問わないが、水分を吸収、乾燥させる素材のものが使用感は良いので、不織布、紙、およびその貼合素材が適している。
【実施例】
【０００７】ポリウレタン、ナイロン混紡の糸を用いて、伸縮するよう網目状に編まれたカバー（１）の一部には穴（２）が設けられており、穴（２）自体も縁にゴム等を用いることで、伸縮するようにしてある。【０００８】芯材を構成する素材には、不織布、紙を貼合したものを使用し、足の形状に合うよう、トムソン、ポンス等の木型を用いて打ち抜くと、足の形状に合致する芯材（３）ができる。【０００９】芯材（３）に、伸縮するカバー（１）を、カバー（１）に設けられた伸縮する穴（２）から被せる。
【産業上の利用可能性】
【００１０】靴の中を快適に保つ靴中敷として使用できる。また、靴のサイズを調整するインソールとしても利用できる。
【図面の簡単な説明】
【図１】穴（２）を設けたカバー（１）の斜視図である。
【図２】足の形状になった芯材（３）の斜視図である。
【図３】芯材（３）にカバー（１）を、その穴（２）から被せている途中の様子である。
【図４】芯材（３）にカバー（１）を被せた後の斜視図である。
【符合の説明】
１  カバー
２  カバーの穴
３  芯材
【図１】
2009028487.tif 000003
【図２】
2009028487.tif 000004
【図３】
2009028487.tif 000005
【図４】
2009028487.tif 000006
(57)【要約】【課題】軸を介し開閉する蓋を装着することにより、食品に埃、虫人の咳き等の付着を防止する防塵蓋を提供する。【解決手段】防塵蓋外枠と、自在軸により一体となる固定ベースを陳列棚下部に固定する。手又は足の操作で軸を介し連動する蓋支持アーム、蓋開閉連動アームの作用により蓋が開閉する事を特徴とする防塵蓋。【選択図】図３
2009028481.tif 000002
【特許請求の範囲】
【請求項１】
軸を介し開閉する蓋を設け、その蓋の前面傾斜を自在に調節可能にする自在軸を下部に設け、且つ蓋の開閉を軸を介し連動する開閉アームを手、又は足の操作により防塵蓋が開閉する機能を装着したことを特徴とする防塵蓋。
【発明の詳細な説明】
【技術分野】
【０００１】本発明は、軸を介し手、又は足の操作により開閉する蓋を設けることにより食品に、埃、虫、人の咳き等の付着を防止する食品を衛生的に陳列できる陳列棚に関するものである。
【背景技術】
【０００２】従来、解放型陳列棚にパン、揚げ物等直に口に食品を無包装の状態出陳列されている食品が多くあった。
【発明の開示】
【発明が解決しょうとする課題】
【０００３】そのために、次のような問題点があつたった。
（イ），直に口にする食品を包装無しの状態で陳列棚におかれていた。
（ロ），そのために、埃、虫、人の咳き等が食品に付着し大変不衛生であった。
本発明は、これらの問題点を解決するためになされたものである。
【課題を解決するための手段】
【０００４】陳列棚下面部に固定ベース（３）をビス等で固定する。自在軸（１６）を介し一体となる固定ベース（３）と外枠（２）に自在に全面傾斜角度を調節可能にする傾斜調節アーム（１０）を設け、傾斜調節アーム固定ネジ（１１）で固定する。開閉ハンドル（６）の前後作動を軸（１７）を介し連動する蓋支持アーム（５）、蓋開閉連動アーム（４）との一体作動により防塵蓋（１）が開閉する。開いた状態を保持するストッパー機能を作用するストッパー切り込み溝（８）を設けた。開閉ハンドル（６）の変わりに足で開閉できる足操作用開閉アーム（１３）と軸で一体となる足操作用ペタル（１４）も装着できる。以上を特徴とする防塵蓋。
【発明の効果】
【０００５】足操作用ペタル（１４）を踏むだけで蓋が開き商品の取り出しが自由になり、閉じるときはペタルから足を外す事により蓋閉じる。通状は蓋は閉じ食品に埃、虫、人の咳き等が付着するのを防止出来る極めて衛生的陳列店を提供出来る。
【発明を実施するための最良形態】
【０００６】以下、本発明の実施の形態について説明する。
（イ），外枠（２）と自在軸（１６）を介し一体となる固定ベース（３）、傾斜調整アーム（１０）を設ける。
（ロ），外枠（２）に軸を介し開閉する防塵蓋（１）を設ける。
（ハ），開閉ハンドル（６）と軸を介し連動する蓋支持アーム（５）、蓋開閉連動アーム（４）を設ける。
（ニ），足操作用開閉アーム（１３）、それを作動させる足操作用ペタル（１４）を設ける。
本発明は、以上のような構成で、これを使用するときは、足操作用ペタル（１４）を足で踏むと足操作用開閉アーム（１３）、蓋開閉連動アーム（４）が軸を介し連動し蓋が開く。閉じる時はペタルから足を離すと閉じる。通常は蓋の閉じた状態が保持され食品に埃、虫、人の咳き等の付着を少なくすることが出来、衛生的  陳列棚を提供できる。
【実施例１】
【０００７】図（３）に示すように固定ベースを陳列棚下部にビスで固定する。
自在軸（１６）と傾斜調整アーム（１０）により陳列棚全面傾斜を自在に調整出来る傾斜調整アーム固定ネジ（１１）で固定する。
足操作用ペタル（１４）と連動する足操作用開閉アーム（１３）の上下作動により蓋が開閉する。
手作動のときは、開閉ハンドルを手前に引くだけで開く。ハンドルのストッパー切り込み溝と、開閉ハンドル支持ローラー（７）との組み合わせにより蓋の開いた状態を保持出来る。
【図面の簡単な説明】
【０００８】
【図１】本発明の一段式蓋の側面図
【図２】本発明の二段式蓋の正面図
【図３】本発明を既存の解放型陳列棚に後づけした実施例を示す側面図
【図４】本発明の防塵蓋を装着していない従来の陳列棚を示す側面図
【符号の説明】
【０００９】          １  防塵蓋
２  外枠
３  固定ベース
４  蓋開閉連動アーム
５  蓋支持アーム
６  開閉ハンドル
７  開閉ハンドル支持ローラー
８  ストッパー切り込み溝
９  コイルバネ
１０  傾斜調整アーム
１１  傾斜調整アーム固定ネジ
１２  傾斜調整用長穴
１３  足操作用開閉アーム
１４  足操作用ペタル
１５  ガイドローラー
１６  自在軸
１７  軸
【図１】
2009028481.tif 000003
【図２】
2009028481.tif 000004
【図３】
2009028481.tif 000005
【図４】
2009028481.tif 000006
(57)【要約】【課題】  場所を取らないように物干し竿に掛けられて、水切りを良くし、靴を安定させて干すことができる靴用ハンガーを提供する。【解決手段】  棒３に、靴を掛ける為の２つの突起部２を交互に斜めに取り付け、物干し竿に掛ける為のフック１を設ける。【選択図】図１
2009028484.tif 000002
【特許請求の範囲】
【請求項１】
棒に、靴を掛ける為の２つの突起部を交互に斜めに取り付け、物干し竿に掛ける為のフックを設けた靴用ハンガー。
【発明の詳細な説明】
【技術分野】
【０００１】  本発明は、場所を取らないように物干し竿に掛けられて、水切りを良くし、靴を安定させて干すことができる靴用ハンガーに関するものである。
【背景技術】
【０００２】  従来は、洗った靴を壁に斜めに立て掛けて干していた。
【発明の開示】
【発明が解決しようとする課題】
【０００３】  靴を壁に立て掛ける場所が必要だった。又、靴を壁に立て掛けると、水分がかかと部分に溜ったり、不安定で靴が倒れることがあった。
【課題を解決する為の手段】
【０００４】  棒３に、靴を掛ける為の２つの突起部２を交互に斜めに取り付け、物干し竿に掛ける為のフック１を設けた靴用ハンガーを提供する。
【発明の効果】
【０００５】  洋服用ハンガーと同様に物干し竿に干せて、場所を取らない。又、靴を掛ける為の２つの突起部２を交互に斜めに取り付けることで、水切りを良くし、靴４を安定させて干すことができる。
【発明を実施する為の最良の形態】
【０００６】  １組の靴４を裏向きに２つの突起部２に交互に填め、その靴用ハンガーを物干し竿に掛けて使用する。
【図面の簡単な説明】
【０００７】
【図１】  本発明の正面図
【図２】  本発明の横面図
【図３】  本発明の使用説明図
【符号の説明】
【０００８】  １はフック
２は突起部
３は棒
４は靴
【図１】
2009028484.tif 000003
【図２】
2009028484.tif 000004
【図３】
2009028484.tif 000005
(57)【要約】【課題】  本発明は、虫歯や歯周病予防のため最適な歯ブラシであって、普通の歯みがき動作によって、ブラシが自動的に縦ゆれするもので安価で理想的な歯ブラシを提供する。【解決手段】  円筒二重構成の歯ブラシ軸で、外筒軸（１）の内部に内筒軸（２）を回動自在に装着し、内筒軸（２）両側面、軸芯（１１）に対向し斜めの縦ゆれ長孔（５）を設け、外筒軸（１）に固定ピン（４）で結合される、外筒軸（１）を握って軸芯（１１）方向左右に〈図１〉動かすことで、内筒軸（２）に固定する歯ブラシ軸（６）は上下に縦ゆれする、歯ブラシ軸（６）は弾力性の材質で毛先の反発力との相乗効果により、複雑な動きで歯みがき効果がさらに期待できる。【選択図】図５
2009028489.tif 000002
【特許請求の範囲】
【請求項１】
円筒二重構成の歯ブラシで、外筒軸（１）の内部に内筒軸（２）を回転自在に装着し、先端に歯ブラシ軸（６）を固着する、外筒軸（１）に固定ピン孔（３）を貫通し、内筒軸（２）の両側面、軸芯（１１）に対向し斜めの縦ゆれ長孔（５）を設け、棒状の固定ピン（４）を嵌入結合する、外筒軸（１）を握り軸芯（１１）方向左右に歯みがき動作を繰り返し、歯ブラシ（７）を縦ゆれさせることを特徴とする縦ゆれ歯ブラシ。
【請求項２】
歯ブラシ軸（６）は弾力性（プラスチック等）の素材で、外筒軸（１）を握り歯ブラシ（７）を歯に押し当て歯みがき運動を繰り返す、歯ブラシ軸（６）は撓み、軸芯（１１）より離れ〈図５〉、撓み（θ）が大となり、縦ゆれも大きく、又歯ブラシ（７）の反発力との複雑な運動を繰り返すことを特徴とする請求項１に記載の縦ゆれ歯ブラシ。
【発明の詳細な説明】
【発明の詳細な説明】
【技術分野】
【０００１】  この発明は、外筒軸（１）を握って左右に歯みがき運動を繰り返すことによって、歯ブラシ（７）と毛先（１０）が上下に縦ゆれすることを特徴とする縦ゆれ歯ブラシに関するものである。
【背景技術】
【０００２】  現在販売されている手動の歯ブラシは、柄の先端にブラシを植毛したもので、発売当時より柄は竹・セルロイドなど、毛は豚毛・馬毛などから現在は主に合成樹脂やナイロンなどに変わっているが、歯ブラシの原形には大きな変化は見られなかった。
【発明が解決しようとする課題】
【０００３】  本発明は、歯みがきの普通の左右運動で、歯ぐきを含め歯の全周を隈なく磨くことのできる上下に縦ゆれする歯ブラシを提供することを考えた。
【課題を解決するための手段】
【０００４】  本発明の歯ブラシは、円筒二重構成の歯ブラシで、外筒軸（１）の内部に内筒軸（２）を装着することで回転自在の構成とし、内筒軸（２）のめねじ（９）を設け、歯ブラシ軸（６）の雄ねじ（８）をめねじ（９）に螺入固定する。
【０００５】  内筒軸（２）の両側面に、軸芯（１１）に対向する斜めの縦ゆれ長孔（５）〈図６〉を設け、外筒軸（１）に固定ピン孔（３）を貫通し、内筒軸（２）を挿入する、固定ピン（４）は、固定ピン孔（３）と縦ゆれ長孔（５）を通して外筒軸（１）に固定され、内筒軸（２）は摺動できる、外筒軸（１）を握り、左右運動で固定ピン（４）は縦ゆれ長孔（５）内を移動し、歯ブラシ（７）は上下に縦ゆれする。
【０００６】  歯ブラシ（７）、歯ブラシ軸（６）は、弾力性の材質（プラスチック等）で軸芯（１１）と歯ブラシ毛先（１０）は〈図１〉に位置するも、歯みがき中は左右運動と歯に押され、歯ブラシ軸（６）は撓み軸芯（１１）より離れ〈図５〉、歯ブラシ（７）の撓み（θ）が大きくなり、縦ゆれも大となる。
【発明を実施するための最良の形態】
【０００７】  以下、本発明の実施の形態を説明する。
（イ）外筒軸（１）に内接する内筒軸（２）との円筒二重構成で回動可能にし、内筒軸（２）の先端に歯ブラシ軸（６）を螺着する。
（ロ）外筒軸（１）に軸芯（１１）に垂直な固定ピン孔（３）を貫通し、内筒軸（２）の両側面に軸芯（１１）に対向する斜めの縦ゆれ長孔（５）を設け、外筒軸（１）内に内筒軸（２）を挿入、固定ピン（４）で固定ピン孔（３）、縦ゆれ長孔（５）を通し、外筒軸（１）内部に結合される。
（ハ）内筒軸（２）の先端にめねじ（９）を設け、歯ブラシ軸（６）の雄ねじ（８）を螺着固定する。
（ニ）歯ブラシ軸（６）は弾力性の材質（プラスチック等）で、歯に加圧すると撓み（θ）が大きくなり〈図５〉、縦ゆれも大となる。
（ホ）内筒軸（２）に設ける縦ゆれ長孔（５）を軸芯（１１）に対し斜めに設ける説明をしているが、単なる直線ではなく、波形等の変形に設けることで毛先が複雑な動きとなり、歯みがき効果がさらに期待できる。
本発明は以上の構成による。
【発明の効果】
【０００８】  上述のように本発明の歯ブラシは、手を左右運動する普通の歯みがき動作で、歯ブラシが上下に縦ゆれするもので、万人の使用に適し、虫歯や歯周病の予防に効果的に広く利用される。
【図面の簡単な説明】
【０００９】
【図１】正面図、側面図、
【図２】平面図、
【図３】外筒軸（１）の正面図、側面断面図、
【図４】内筒軸（２）の正面図、側面断面図、
【図５】図１の部分断面図、歯に歯ブラシを強く押し、歯ブラシ軸（６）が撓んだ（θ）図、
【図６】内筒軸（２）の表面展開図、縦ゆれ長孔（５）を示す、
【符号の説明】
【００１０】（１）外筒軸、（２）内筒軸、（３）固定ピン孔、
（４）固定ピン、（５）縦ゆれ長孔、（６）歯ブラシ軸、
（７）歯ブラシ、（８）雄ねじ、（９）めねじ、（１０）毛先、
（１１）軸芯、
2009028489.tif 000003
【図１】
2009028489.tif 000004
【図２】
2009028489.tif 000005
【図３】
2009028489.tif 000006
【図４】
2009028489.tif 000007
【図５】
2009028489.tif 000008
【手続補正書】
【提出日】平成19年9月26日(2007.9.26)
【手続補正１】
【補正対象書類名】図面
【補正対象項目名】全図
【補正方法】変更
【補正の内容】
【図１】
2009028489.tif 000009
【図２】
2009028489.tif 000010
【図３】
2009028489.tif 000011
【図４】
2009028489.tif 000012
【図５】
2009028489.tif 000013
【図６】
2009028489.tif 000014
(57)【要約】      （修正有）【課題】ワイシャツ、ブラウスを着用する際には、ネクタイが多く使われていた。しかし近年、省エネルギーなどで社会的に「クールビズ」などの流行でネクタイが使用されない場合が多く、ファッション性にも乏しくなった。ネクタイを使用しない場合の首周りを華やかに装う「襟珠」を提供する。【解決手段】ネクタイを使用しない際、ワイシャツ、ブラウスの「襟」に様々なデザインの貴金属や宝石の装飾品「襟珠」を、細い針を通し、留め金具で固定する。【選択図】なし【特許請求の範囲】
【請求項１】
ワイシャツ及びブラウスの「襟」に着けるアクセサリー。
【発明の詳細な説明】
【技術分野】
【０００１】この発明は、近年の省エネルギー対策に一環として、ワイシャツ、ブラウスの着用の際にネクタイを使用しない、通称「クールビズ」等が流行し、ネクタイを使用しない場合の首回りを華やかに装うアイテムである。
【背景技術】
【０００２】従来、ネクタイはワイシャツ、ブラウスの着用の際には多く使用され、極めて有効な装いのアイテムであった。  しかし、近年、省エネルギー対策などに依り、気温の高い季節には、通称「クールビズ」などの流行の為、ネクタイを使用しい場合が多くなくなり、首回りに、装う美的アクセントや華やかさが無くなり、フッァション性に乏しくなった。
【発明の開示】
【発明が解決しようとする課題】
【０００３】本発明はネクタイを使用しない場合のワイシャツ、ブラウスの「襟」に宝石や貴金属を飾り着けた「襟珠」を着ける事によりワイシャツ、ブラウスの装いに彩りや自己主張の美的華やかさを加え、且つ美的価値を高める、画期的な発明である。
【課題を解決するための手段】
【０００４】ワイシャツ、ブラウスの「襟」の部分に、様々なデザインの「襟珠」を、細い針を通し、留め金具で固定する。
【発明の効果】
【０００５】従来、ワイシャツ、ブラウスを着用する時には、ネクタイの使用は多く、フッション性を高め、且つ自己主張的、華やかさ、美的価値をもたらしていた。
しかし、近年、世界的にも省エネルギー対策が叫ばれ、我が国でも「クールビズ」などの社会的流行も有り、気温の高い季節には、ネクタイを使用しない場合が多くなった。  従来ネクタイは、ワイシャツ、ブラウスを着用の際に多く多く使用し、ファッション上でも華やかに役割を果たしてきた。  本発明の「襟珠」は、ネクタイを使用しない場合のワイシャツ、ブラウスの「襟」にファッション性の華やかな美的価値を与える極めて独創的な発明である。
【本発明を実施するための最良の形態】
【実施例】
【０００６】以下、本発明の実施例について説明する。
【図面の簡単な説明】
【０００７】
【図１】本発明の正面図である。
【図２】本発明の「襟珠」を着けた横からの図である。
【符号の説明】
【０００８】（１）ワイシャツに向かって左の襟に「襟珠」を着けた図である。
（２）「襟珠」の留め金である。
【図１】
2009028467.tif 000002
【図２】
2009028467.tif 000003